(57)【要約】【課題】  大径サイズのコップも確実に収納保持し得るコップ収納用トレーを提供すること。【解決手段】  パルプモウルド製のコップ収納用トレーにおいて、コップ収納用凹部（５）内に大径のコップ（２０）を収納した状態において、上記凹部（５）の各スリット（９，９，９）の左右周壁（４ａ，４ａ）が、対応する上記コップ（２０）の３箇所の低部外周面（２０ｂ，２０ｂ，２０ｂ）に弾性的に当接すると共に、上記凹部（５）の各開口部（８，８，８）の左右縁部近傍の３箇所の左右下部周壁（４ｃ，４ｃ）が、対応する上記コップ（２０）の３箇所の下端外周面（２０ｃ，２０ｃ，２０ｃ）に当接することにより、上記コップ（２０）を確実に保持するように構成する。【選択図】  図８
2012096806.tif 000002
【特許請求の範囲】
【請求項１】
底面（２）から上面開口（３）に向って起立する周壁（４）を有するコップ収納用凹部（５）を具備するパルプモウルド製のコップ収納用トレーにおいて、
上記コップ収納用凹部（５）の上記上面開口（３）の縁にＵ字状縁部（５’）を設け、該Ｕ字状縁部（５’）の一対の端部（５ａ，５ａ）側の上記コップ収納用凹部（５）の外側に、上記底面（２）と略同一深さの一対の脚部（１２，１２）を形成し、これら一対の脚部（１２，１２）と上記底面（２）により当該コップ収納用トレーを自立可能に構成し、
上記コップ収納用凹部（５）内の周壁（４）には、該凹部（５）の中心方向に突出する３箇所の凸面部（６，６，６）を互いに１２０度の間隔を置いて突設し、
上記各凸面部（６，６，６）の上記底面近傍の周壁（４）から上記底面（２）にかけて略方形の開口部（８，８，８）を各々設けると共に、これらの開口部（８，８，８）の上縁から上記各凸面部（６，６，６）の中心部を上方に開口してスリット（９，９，９）を形成し、上記各スリット（９，９，９）の３箇所の左右周壁（４ａ，４ａ）を拡径方向に弾性変形可能に形成し、
上記コップ収納用凹部（５）内にコップ（２０）を収納した状態において、上記各スリット（９，９，９）の上記各左右周壁（４ａ，４ａ）が、対応する上記コップ（２０）の３箇所の低部外周面（２０ｂ，２０ｂ，２０ｂ）に弾性的に当接して上記コップ（２０）を保持すると共に、
上記各開口部（８，８，８）の左右縁部近傍の３箇所の左右下部周壁（４ｃ，４ｃ）が、対応する上記コップ（２０）の３箇所の下端外周面（２０ｃ，２０ｃ，２０ｃ）に当接することにより、上記コップ（２０）を保持するものであることを特徴とするコップ収納用トレー。
【請求項２】
請求項１記載のコップ収納用トレーにおいて、
上記コップ収納用凹部（５）内に請求項１の上記コップ（２０）より小径のコップ（２１）を収納した状態において、上記周壁（４）における３箇所の上記開口部（８，８，８）の上記左右縁部近傍の３箇所の上記各左右下部周壁（４ｃ，４ｃ）は、対応する上記小径のコップ（２１）の下端外周面（２１ｃ，２１ｃ，２１ｃ）に当接せず、
上記各スリット（９，９，９）の３箇所の左右周壁（４ａ，４ａ）のみが、対応する上記小径のコップ（２１）の３箇所の低部外周面（２１ｂ，２１ｂ、２１ｂ）に弾性的に当接することにより、上記小径のコップ（２１）を保持するものであることを特徴とするコップ収納用トレー。
【発明の詳細な説明】
【技術分野】
【０００１】
本発明は、例えば持ち帰り用の袋或いは折り畳み可能な手提げ箱内等の底部に設置され、１つのコップ収納用凹部において、大きさの異なる紙コップ等を確実に収納保持することができるコップ収納用トレーに関するものである。
【背景技術】
【０００２】
従来、ファーストフード店等において、飲料物を購入して持ち帰るとき、持ち帰り用の紙袋内の底部にトレーを設置し、当該トレーに飲料物の紙コップを収納保持することが行われている。
【０００３】
上記従来のトレーとしては、特許文献１，２に示すように、パルプモウルド製のトレーであって、２個又は４個の隣接するコップ収納用凹部を有するものが提案されている。
【０００４】
このトレーは、上記コップ収納用凹部に紙コップを収納すると、凹部の内周面が紙コップの外周に接触することにより、当該凹部内に紙コップを保持するものである。
【先行技術文献】
【特許文献】
【０００５】
【特許文献１】特開２００４−１０６９３５号
【特許文献２】特開平１１−２２７７３６号
【発明の概要】
【発明が解決しようとする課題】
【０００６】
ところで、上記特許文献１，２のトレーでは、凹部の内周面が紙コップの外周面に接触することでコップを収納保持するだけであったため、容量の大きなコップを安定して確実に保持することが困難であった。
【０００７】
また、一種類の大きさの紙コップを収納することを前提としてつくられているため、大きさの異なる紙コップを１つの収納部に確実に安定して収納保持することが困難であった。
【０００８】
そこで、各種ジュース等の飲み物の紙コップは大と小が存在するので、容量の大きな大サイズのコップを安定して収納保持することができること、及び、１つの収納部において、サイズの大きなコップもサイズの小さいコップも同様に確実に収納保持できるコップ収納用トレーが望まれている。
【０００９】
本発明は上記従来の課題に鑑みてなされたものであり、容量の大きなコップであっても安定して収納保持でき、複数のサイズのコップも１つの凹部にて確実に収納保持することができるコップ収納用トレーを提供することを目的とする。
【課題を解決するための手段】
【００１０】
上記の目的を達成するため本発明は、
第１に、底面（２）から上面開口（３）に向って起立する周壁（４）を有するコップ収納用凹部（５）を具備するパルプモウルド製のコップ収納用トレーにおいて、上記コップ収納用凹部（５）の上記上面開口（３）の縁にＵ字状縁部（５’）を設け、該Ｕ字状縁部（５’）の一対の端部（５ａ，５ａ）側の上記コップ収納用凹部（５）の外側に、上記底面（２）と略同一深さの一対の脚部（１２，１２）を形成し、これら一対の脚部（１２，１２）と上記底面（２）により当該コップ収納用トレーを自立可能に構成し、上記コップ収納用凹部（５）内の周壁（４）には、該凹部（５）の中心方向に突出する３箇所の凸面部（６，６，６）を互いに１２０度の間隔を置いて突設し、上記各凸面部（６，６，６）の上記底面近傍の周壁（４）から上記底面（２）にかけて略方形の開口部（８，８，８）を各々設けると共に、これらの開口部（８，８，８）の上縁から上記各凸面部（６，６，６）の中心部を上方に開口してスリット（９，９，９）を形成し、上記各スリット（９，９，９）の３箇所の左右周壁（４ａ，４ａ）を拡径方向に弾性変形可能に形成し、上記コップ収納用凹部（５）内にコップ（２０）を収納した状態において、上記各スリット（９，９，９）の上記各左右周壁（４ａ，４ａ）が、対応する上記コップ（２０）の３箇所の低部外周面（２０ｂ，２０ｂ，２０ｂ）に弾性的に当接して上記コップ（２０）を保持すると共に、上記各開口部（８，８，８）の左右縁部近傍の３箇所の左右下部周壁（４ｃ，４ｃ）が、対応する上記コップ（２０）の３箇所の下端外周面（２０ｃ，２０ｃ，２０ｃ）に当接することにより、上記コップ（２０）を保持するものであることを特徴とするコップ収納用トレーにより構成される。
【００１１】
上記各スリット（９，９，９）の３箇所の左右周壁（４ａ，４ａ）とは、上記１つのスリット（９）に対応する一対の左右周壁（４ａ，４ａ）を１単位としたとき、左右周壁（４ａ，４ａ）の各スリット（９，９，９）に対応する３箇所の左右周壁（４ａ，４ａ）をいう。上記各開口部（８，８，８）の左右縁部近傍の３箇所の左右下部周壁（４ｃ，４ｃ）とは、上記１つの開口部（８）の左右縁部近傍の一対の左右下部周壁（４ｃ，４ｃ）を１単位としたとき、左右下部周壁（４ｃ，４ｃ）の各開口部（８，８，８）に対応する３箇所の左右下部周壁（４ｃ，４ｃ）をいう。このように構成すると、コップ（２０）は、その３箇所の低部外周面（２０ｂ，２０ｂ，２０ｂ）にコップ収納凹部（５）の左右周壁（４ａ，４ａ）が弾性的に当接するだけではなく、その３箇所の下端外周面（２０ｃ，２０ｃ，２０ｃ）に左右下部周壁（４ｃ，４ｃ）が当接するため、容量の大きい大サイズのコップ（２０）を確実に収納保持することができる。
【００１２】
第２に、上記第１記載のコップ収納用トレーにおいて、上記コップ収納用凹部（５）内に請求項１の上記コップ（２０）より小径のコップ（２１）を収納した状態において、上記周壁（４）における３箇所の上記開口部（８，８，８）の上記左右縁部近傍の３箇所の上記各左右下部周壁（４ｃ，４ｃ）は、対応する上記小径のコップ（２１）の下端外周面（２１ｃ，２１ｃ，２１ｃ）に当接せず、上記各スリット（９，９，９）の３箇所の左右周壁（４ａ，４ａ）のみが、対応する上記小径のコップ（２１）の３箇所の低部外周面（２１ｂ，２１ｂ，２１ｂ）に弾性的に当接することにより、上記小径のコップ（２１）を保持するものであることを特徴とするコップ収納用トレーにより構成される。
【００１３】
このように構成すると、小径のコップ（２１）であっても、小径のコップ（２１）は、その３箇所の低部外周面（２１ｂ，２１ｂ，２１ｂ）にコップ収納凹部（５）の左右周壁（４ａ，４ａ）が弾性的に確実に当接するので、小径のコップ（２１）を確実に収納保持することができる。
【発明の効果】
【００１４】
本発明は上述のように、大径のコップの場合は、その低部外周面の３箇所に左右周壁が各々弾性的に当接するだけでなく、下端外周面の３箇所に左右下部周壁が各々当接するので、容量が大きいサイズのコップであっても、コップ収納用凹部に安定して確実に収納保持することができる。
【００１５】
また、小径のコップを収納した場合は、その低部外周面の３箇所に左右周壁が各々弾性的に当接するので、同一のコップ収納用凹部において、大径のコップを確実に収納保持できると共に、小径のコップであっても確実に収納保持することができ、サイズの異なるコップを確実に収納保持できるコップ収納トレーを実現したものである。
【図面の簡単な説明】
【００１６】
【図１】本発明に係るコップ収納用トレーの斜視図である。
【図２】同上トレーの側面図である。
【図３】同上トレーの正面図である。
【図４】コップ収納用凹部が１つの同上トレーの平面図である。
【図５】コップ収納用凹部が１つの同上トレーの斜視図である。
【図６】コップ収納用凹部に大径のコップを収納した場合の上記凹部の開口部の縦断面図である。
【図７】コップ収納用凹部に小径のコップを収納した場合の上記凹部の開口部の縦断面図である。
【図８】コップ収納用凹部に大径のコップを収納した場合の上記凹部内の凸面部近傍の斜視図である。
【図９】コップ収納用凹部に小径のコップを収納した場合の上記凹部内の凸面部近傍の斜視図である。
【図１０】コップ収納用凹部に大径のコップを収納した場合の同上トレーの平面図である。
【図１１】コップ収納用凹部に小径のコップを収納した場合の同上トレーの平面図である。
【図１２】コップ収納用凹部に大径又は小径のコップを収納した場合の同上トレーの斜視図である。
【図１３】同上トレーのミシン目の拡大図である。
【図１４】（ａ）は大径のコップの斜視図、（ｂ）は小径のコップの斜視図である。
【発明を実施するための形態】
【００１７】
以下、本発明に係るパルプモウルド製のコップ収納用トレー１を詳細に説明する。
【００１８】
図１〜図３に示すように、コップ収納用トレー１は、パルプモウルド成形により一体に形成されたものであり、底面２から上面開口３に向って起立する略筒状の周壁４を有するコップ収納用凹部５が形成されている。
【００１９】
図１〜図３には同一構成のコップ収納用凹部５が左右に２個並設された２穴のコップ収納用トレー１を示し、図４、図５には上記２穴のコップ収納トレー１を中央のミシン目１６から左右に分割した後の１穴のコップ収納トレー１を示す。
図１中の左右一対のコップ収納用凹部５は、左右対称の同一構成を有するものであり、一対のコップ収納用凹部５が各々脚部１２，１２を対向させた状態でミシン目１６（図１３参照）を介して一体に成形されている。従って、上記コップ収納用トレー１は、上記ミシン目１６を境に２個のコップ収納トレーに分割可能である。
【００２０】
また、以下の説明において、図１に示すように矢印Ａ方向を「左右方向」、矢印Ａ方向に直交する方向（矢印Ｂ方向）を「前後方向」という。
【００２１】
まず、１つの上記コップ収納用凹部５について説明すると、底面２から上面開口３に向って徐々に広がるように起立するテーパー状の周壁４により形成されたコップ収納用凹部５を具備するパルプモウルド製のコップ収納用トレーであって、上記コップ収納用凹部５の上面開口３の上縁にＵ字状縁部５’を設け、該Ｕ字状縁部５’の一対の端部５ａ，５ａ側の上記コップ収納用凹部５の外側に、上記底面２と略同一深さの一対の脚部１２，１２が形成されており、これら一対の脚部１２，１２と上記底面２により当該トレー１は自立可能に構成されている。
【００２２】
上記脚部１２，１２は、図１、図２、図５に示すように、上記Ｕ字状縁部５’の一対の端部５ａ，５ａ部分より下方向けて、その底部１２ａ，１２ａが上記底面２と同一深さとなるように形成されており、これら一対の脚部１２，１２の間は、各脚部１２の対向面側に設けられた高位部１３，１３と、高位部１３，１３間の低位部１４と、上記高位部１３と上記低位部１４とを結ぶテーパー部１５，１５により前後方向に連結されている。尚、上記高位部１３と低位部１４の内面側（コップ収納用凹部５側）は上記コップ収納用凹部５の周壁４を構成している。尚、上記低位部１４を設けるのは、上記脚部１２，１２間のトレー１の補強のためであり、上記コップ収納用凹部５にコップを収納した状態において、確実にコップを自立支持するためである。
【００２３】
上記コップ収納用凹部５には、該凹部５の中心方向に突出する３箇所の凸面部６，６，６が形成されている（図４参照）。これら凸面部６，６，６は、上記Ｕ字状縁部５’の連続縁中央部５ｂ側の周壁と、上記各脚部１２，１２近傍の周壁に、互いに１２０度の間隔を置いて突出形成されている。そして、上記各凸面部６，６，６の底面近傍の周壁には、略方形（略四角形）の開口部８，８，８が各々設けられており、これらの開口部８，８，８の上縁の中央部分には、各中央部分から各凸面部６，６，６の中心部を上方に開口することでスリット９，９，９が各々形成されており、各スリット９，９，９の各々の左右周壁４ａ，４ａが拡径方向（矢印Ｃ方向）に弾性変形可能に形成されている。即ち、上記スリット９，９，９の各左右周壁４ａ，４ａは、周壁４を形成するパルプモウルドの弾性により、当該凹部５の外側方向（矢印Ｃ方向）に弾性変形し得るように構成している。
【００２４】
上記各凸面部６，６，６の凹部中心方向に最も突出した突出頂部は、上記スリット９，９，９の下端部９’，９’，９’近傍であるが（図４参照）、この下端部９’，９’，９’近傍の内接円Ｓ１（図１１の二点鎖線の内接円Ｓ１）の直径より大きな直径を有するコップを収納すると、上記各スリット９，９，９の各左右周壁４ａ，４ａがコップ外周面により拡径方向（矢印Ｃ方向）に押し広げられ、上記コップは上記左右周壁４ａ，４ａによって弾性的に保持されるように構成されている（図６、図７参照）。即ち、上記凸面部６，６，６の上記下端部９’，９’，９’に内接する凸面部内接円Ｓ１の直径は、当該コップ収納用凹部５に収納されるコップの上記内接円Ｓ１に対応する外周面の直径より小さくなるように構成されている。このように構成すると、上記コップを上記コップ収納用凹部５に収納すると、上記左右周壁４ａ，４ａが上記コップの外周面に弾性的に当接し、コップを確実に保持することができる。
【００２５】
さらに、図１、図５に示すように、上記各開口部８の上縁には、上記コップ収納用凹部５に収納されるコップの外周面に対向する薄肉保持面８ａが各々形成されている。この薄肉保持面８ａは、図６，７に示すように、その保持面８ａが、末広がりテーパー状の周壁４に対して略鉛直面を形成しており、コップ（例えば大サイズのコップ（大径のコップ）２０）を収納したとき、コップ２０の外周面に当接して（図６参照）、コップ２０を確実に保持するものである。
【００２６】
この薄肉保持面８ａは上記開口部８の上部コーナー部８ｂ，８ｂを補強する機能をも有している。即ち、上記開口部８の上縁に沿って上記薄肉保持面８ａが形成されているため、上記コーナー部８ｂ，８ｂ部分が補強され、当該コーナー部分８ｂ，８ｂからの亀裂の発生等を効果的に防止することができる（図１参照）。
【００２７】
さらに、上記Ｕ字状縁部５’の連続縁中央部５ｂ側に位置する上記スリット９は（以下、この位置のスリットを符号「９ａ」で示す）、他の２箇所のスリット９，９よりその長さが短く形成され、該スリット９ａ上端と上記コップ収納用凹部５の上面開口３までの周壁に補強用周壁４ｂが形成されている（図１、図２、図４参照）。
【００２８】
上記コップ収納用凹部５において、上記Ｕ字状縁部５’の上記連続縁中央部５ｂ近傍の部分５”（図１、図２、図４参照）は、上記高位部１３，１３の近傍の周壁４に比較して強度が弱いため、この部分に上面開口３の近接位置まで上下方向に長いスリット９が形成されると、当該スリット９上端部分から上面開口３方向に上記周壁４が断裂してしまうおそれがある。
【００２９】
そこで、上記Ｕ字状縁部５’の上記連続縁中央部５ｂ側の上記スリット９ａは、その高さを他のスリット９，９より低く形成し、当該スリット９ａの上端と上記コップ収納用凹部５の上面開口３までの周壁に補強用周壁４ｂを形成しているものである。このように構成すると、上記スリット９ａの上端から上面開口５までに補強用周壁４ｂが形成されているので、上記スリット９ａから上方に向けて上記周壁４が断裂することを防止することができる。また、上記スリット９ａを短く構成することにより、当該スリット９ａの両側の左右周壁４ａ，４ａの弾性強度を大きくすることができ、より確実にコップを収納保持することができる。
【００３０】
さらに、上記各スリット９には図１、図５等に示すように、その上端部近傍部分に上記スリット９の空間を薄い肉厚で閉鎖する薄肉部９ｂが形成されている。従って上記各スリット９はその上端部分が上記薄肉部９ｂ，９ｂで補強された状態となり、上記各スリット９の上端部分から亀裂の発生等を効果的に防止することができ、コップ収納用トレー１全体の強度を高めることができる。
【００３１】
上記３箇所の凸面部６，６，６の下端に対応する上記底面２上には、各々３箇所の円弧状の低凸部２２，２２，２２が形成されている（図４参照）。この低凸部２２，２２，２２の上面は上記底面２の位置より若干高い位置にあり（図１参照）、上記凹部５内に収納したコップ２０，２１の底部２０ａ，２１ａが接触するものである。また、この低凸部２２，２２，２２の周壁４側の縁部２２ａ，２２ａ，２２ａは、上記テーパー状に立ち上がる上記周壁４と水平面をなす底面２との境界線を形成している（図１参照）。これらの低凸部２２，２２，２２は上記コップ収納用凹部５を補強する機能を有すると共に、当該コップ収容用トレー１を抄造する際、乾燥時の歪みの発生を抑制し、凹部５の変形を防止する機能を有している。
【００３２】
図１〜図３に示す２穴のコップ収納用トレー１は、互いの一対の脚部１２，１２同士が各々連結されるように、これら脚部１２，１２同士を対向接続させた状態で、左右方向に一体に形成し、その状態において、上記トレーを一体に連結する左右連結部１１に、上記両トレーを左右に直線的に２分割し得るミシン目１６を、上記左右方向に直交する前後方向（矢印Ｂ方向）に形成したものである。尚、ミシン目１６は、図１３に示すように、接続部１６ａと開口部１６ｂが交互に繰り返し形成されることにより構成されており、当該ミシン目１６に沿ってコップ収納用トレー１を２分割し得るものである。
【００３３】
より具体的には、２つのコップ収納用トレー１は、図１に示すコップ収納用凹部５が１つのコップ収納用トレー１の上記脚部１２，１２同士と、高位部１３，１３同士と、低位部１４，１４同士と、テーパー部１５，１５同士を、互いに向き合わせて連結することにより、２個のコップ収納用凹部５，５が左右方向に連設された状態で形成されたものである。実際には、図１に示す２個のコップ収納用凹部５，５を有するコップ収納用トレー１がパルプモウルドによって一体的に抄造される。尚、上記コップ収納用トレー１において、上記脚部１２、高位部１３、低位部１４、テーパー部１５によって形成される上記左右のコップ収納用凹部５，５を連結する前後方向の帯状部分を左右連結部１１という。
【００３４】
このコップ収納用トレー１は、図１に示すように、全体形状としては、一方（左）のコップ収納用凹部５の上縁を形成するＵ字状縁部５’と、他方（右）のコップ収納用凹部５の上縁を形成するＵ字状縁部５’とが、互いにそのＵ字状縁部５’の端部５ａ，５ａを内側に向けた状態で一体に成形されており、各端部５ａ，５ａ間のトレー前後外周部に、両トレーの脚部１２，１２が各々一体化された状態で形成されている。そして、当該トレー１は上記底面２と上記脚部１２，１２の底部１２ａ，１２ａにより安定して水平に載置し得るように構成されている。
【００３５】
そして、上記左右連結部１１の中央部分に、上記コップ収納用凹部５の連設方向（矢印Ａ方向）に直交する前後方向（矢印Ｂ方向）の直線状のミシン目１６を、該ミシン目１６にて上記左右連結部１１を左右に均等に２分割可能に設け、上記ミシン目１６により上記左右連結部１１を左右に均等に２分割した状態で、上記２個のコップ収納用凹部５，５を各別に分離し得るように構成したものである。よって、上記ミシン目１６により２分割すると、上記脚部１２，１２、高位部１３，１３、テーパー部１５，１５、低位部１４，１４が左右方向に均等に２分割され、図４、図５に示すコップ収納用トレー１を２個形成することができる。
【００３６】
そして、２分割した各コップ収納用トレー１，１は、図４、図５に示す上記コップ収納用凹部５の底面２と上記２分割された前後一対の脚部１２，１２により水平に自立可能となるように構成されている。
【００３７】
次に、図１〜図３に示すコップ収容用トレー１にコップを収納する機能について説明する。まず、直径が大サイズのコップ２０を収納する場合は、図６に示すように、コップ収納用凹部５に上記コップ２０をその底部２０ａから挿入し、該底部２０ａが上記コップ収納用凹部５の底面２の低凸部２２に接触するまで該凹部５内に押し込めば良い。
【００３８】
尚、大サイズのコップ２０をコップ収納用凹部５に収納した状態における上記凹部５とコップ２０との関係を図６、図８に、小サイズのコップ２１をコップ収納用凹部５に収納した状態における上記凹部５とコップ２１との関係を図７、図９に示す。ここで、図８、図９はコップ２０，２１を収納した状態の上記凹部５を内側から見た斜視図であり、これらの図（図８、図９）において、コップ２０，２１の部分を示す符号は、コップ収納用凹部５の部分の符号と区別するために括弧内に記載している。また、図６、図７において、コップを収納する前のコップ収納用凹部５を二点鎖線で、コップを収納した後のコップ収納凹部５を実線にて示す。
【００３９】
上記大サイズのコップ２０を上記凹部５内に押し込むと（図６参照）、コップ２０の外周面は上方に向けてテーパー状に拡径しているので、押し込む途中において、コップ２０の低部外周面２０ｂ（図６、図１４（ａ）参照、図８では符号２０ｂの二点鎖線の円の近傍の面参照）が、コップ収納用凹部５の３個の凸面部６，６，６の最も突出した部分であるスリット９，９，９の下端部９’，９’，９’に当接し、上記スリット９，９，９の各左右周壁４ａ，４ａが拡径方向（矢印Ｃ方向）に弾性変形することで、当該コップ収納用凹部５の内径が拡大し（図６、図１０参照、図１０において拡径前の左右周壁４ａ，４ａを二点鎖線で、拡径後の左右周壁４ａ，４ａを実線で示している）、上記コップ２０の上記低部外周面２０ｂに各凸面部６の上記左右周壁４ａ，４ａが強く当接する（図８にコップ２０の低部外周面２０ｂと左右周壁４ａ，４ａとの当接部を左右周壁４ａ，４ａ上にハッチングにて示す）。
【００４０】
そして、上記コップ２０の底部２０ａが上記低凸部２２に当接するまで押し込む。かかる状態においては、上記各スリット９，９，９の左右周壁４ａ，４ａが上記コップ２０の３箇所の上記低部外周面２０ｂ，２０ｂ，２０ｂに弾性的に当接しているので、コップ２０を確実に収納保持することができる。このとき、３個の開口部８，８，８の薄肉保持面８ａ，８ａ，８ａが互いに１２０度の間隔を置いて上記コップ２０の上記低部外周面２０ｂ，２０ｂ，２０ｂに接触するので、上記コップ２０を確実に保持することができる（図８に上記開口部８の薄肉保持面８ａとコップ２０の底部外周面２０ｂとの当接部を薄肉保持面８ａ上にハッチングにて示す）。
【００４１】
また、この大サイズのコップ２０は、コップ２０を上記コップ収納用凹部５の底面２の低凸部２２まで押し込んだとき、図８に示すように、上記開口部８の左右縁部近傍の左右下部周壁４ｃ，４ｃに、上記コップ２０の下端外周面２０ｃ（図１４（ａ）参照）及び底部外周円２０ａ’が当接する（図８に上記凸面部６の左右下部周壁４ｃ，４ｃとコップ２０の下端外周面２０ｃとの当接部を上記左右下部周壁４ｃ，４ｃ上にハッチングにて示す）。よって、上記大サイズのコップ２０は、上記凸部６，６，６に対応する低部外周面２０ｂの３箇所においては、上記左右周壁４ａ，４ａが弾性的に当接し、当該左右周壁４ａ，４ａ及び薄肉保持面８ａ，８ａの弾性復帰力（反矢印Ｃ方向）によって確実に保持されると共に、上記開口部８，８，８に対応する上記下端外周面２０ｃ及び底部外周円２０ａ’の３箇所において、各々の左右下部周壁４ｃ，４ｃに当接することで、大サイズのコップ２０は安定してコップ収納用凹部５内に収納保持される。
【００４２】
よって、大サイズのコップ２０は、１つの上記開口部８の近傍において、上記左右周壁４ａ，４ａ、薄肉保持面８ａ，８ａだけではなく、下端外周面２０ｃ及び底部外周円２０ａ’の３箇所が、左右下部周壁４ｃ，４ｃによって確実に支持されるため、容量の大きい大サイズのコップ２０であっても倒れることなく、確実に保持することができる。
【００４３】
次に、直径が小サイズのコップ（小径のコップ）２１を収納する場合は、図７に示すように、コップ収納用凹部５に上記コップ２1をその底部２1ａから挿入し、該底部２１ａが上記コップ収納用凹部５の底面２の低凸部２２に接触するまで該凹部５内に押し込めば良い。
【００４４】
上記小サイズのコップ２１を上記凹部５内に押し込むと（図７参照）、該コップ２１の外周面は上方に向けてテーパー状に拡径しているので、押し込む途中において、コップ２１の低部外周面２１ｂ（図７、図１４（ｂ）参照、図９では符号２１ｂの二点鎖線の円の近傍の面参照）が、コップ収納用凹部５の３個の凸面部６，６，６の最も突出した部分であるスリット９，９，９の下端部９’，９’，９’に当接し、上記スリット９，９，９の各左右周壁４ａ，４ａが拡径方向（矢印Ｃ方向）に弾性変形することで、当該コップ収納用凹部５の内径が拡大し（図７、図１１参照）、上記コップ２１の上記底部外周面２１ｂに各凸面部６の上記左右周壁４ａ，４ａが強く当接する（図９にコップ２１の低部外周面２１ｂと左右周壁４ａ，４ａとの当接部を左右周壁４ａ，４ａ上にハッチングにて示す）。
【００４５】
そして、上記コップ２１の底部２１ａが上記低凸部２２に当接するまで押し込む。かかる状態においては、上記各スリット９，９，９の左右周壁４ａ，４ａが上記コップ２１の上記低部外周面２１ｂの３箇所に弾性的に当接しているので、コップ２１を確実に収納保持することができる。このとき、３個の開口部８，８，８の薄肉保持面８ａ，８ａ，８ａが互いに１２０度の間隔を置いて上記コップ２１の低部外周面２１ｂの３箇所に接触するので、上記コップ２１を確実に保持することができる（図９に上記開口部８の薄肉保持面８ａとコップ２１の底部外周面２１ｂとの当接部を薄肉保持面８ａ上にハッチングにて示す）。
【００４６】
また、この小サイズのコップ２１は、底部外周円２１a’の直径が上記大サイズのコップ２０の底部外周円２０a’より小さいので、コップ２１を上記コップ収納用凹部５の底面２の低凸部２２まで押し込んだとき、図９に示すように、その下端外周面２１ｃ（図１４（ｂ））は上記開口部８の左右縁部近傍の左右下部周壁４ｃ，４ｃに当接しない（図９におけるコップ２１の底部外周円２１ａ’と上記左右下部周壁４ｃとの間隙Ｋ参照）。しかしながら、上記コップ２１の低部外周面２１ｂには、上述のように、上記凸部６，６，６に対応する３箇所において、上記左右周壁４ａ，４ａ及び薄肉保持面８ａ，８ａが弾性的に当接し、当該左右周壁４ａ，４ａ、薄肉保持面８ａ，８ａの弾性復帰力（反矢印Ｃ方向）によって確実に保持されるので、小サイズのコップ２１であっても確実に収納保持することができる。
【００４７】
尚、小サイズのコップ２１は、大サイズのコップ２０より容量が少ないので、上記左右下部周壁４ｃ，４ｃによる支持がなくても、上記左右周壁４ａ，４ａ及び上記薄肉保持面８ａ，８ａの保持により確実にコップ２１を保持することができる。
【００４８】
本発明は上述のように、大径のコップ２０の場合は、その低部外周面２０ｂの３箇所に左右周壁４ａ，４ａ、薄肉保持面８ａ，８ａが弾性的に当接するだけでなく、下端外周面２０ｃの３箇所に左右下部周壁４ｃ，４ｃが当接するので、容量が大きいサイズのコップ２０であっても、コップ収納用凹部５に安定して確実に収納保持することができる。
【００４９】
また、小径のコップ２１を収納した場合は、その低部外周面２１ｂの３箇所に左右周壁４ａ，４ａ、薄肉保持面８ａ，８ａが弾性的に当接するので、同一のコップ収納用凹部５において、大径のコップ２０を確実に収納保持できると共に、小径のコップ２１であっても確実に収納保持することができ、サイズの異なるコップを確実に収納保持できるコップ収納トレーを実現したものである。
【００５０】
また、大径のコップ２０も小径のコップ２１も、何れも左右周壁４ａ，４ａ、薄肉保持面８ａ，８ａが弾性的に当接することは同様であり、大径のコップ２０の場合のみ、左右下部周壁４ｃ，４ｃがコップ２０の外周に当接して凹部５内における支持を確実なものにするため、コップをコップ収納用凹部５内に挿入する場合の抵抗感（左右周壁４ａ，４ａから受ける弾性力に基づく抵抗感）は、大径のコップ２０の方が小径のコップ２１より多少大きいものの、何れのコップ２０，２１も円滑にコップ収納用凹部５内に挿入することができるものである。
【産業上の利用可能性】
【００５１】
本発明のコップ収納用トレーは、例えばファーストフード店においてコーヒー等の飲み物を入れた紙コップを収納保持するコップ収納用トレーとして幅広く利用が可能である。
【符号の説明】
【００５２】
１            コップ収納用トレー
２            底面
３            上面開口
４            周壁
４ａ，４ａ    左右周壁
４ｃ，４ｃ    左右下部周壁
５            コップ収納用凹部
５’          Ｕ字状縁部
５ａ          端部
６            凸面部
８            開口部
９            スリット
１２          脚部
２０          大径のコップ
２０ｂ        低部外周面
２０ｃ        下端外周面
２１          小径のコップ
２１ｂ        低部外周面
２１ｃ        下端外周面
【図１】
2012096806.tif 000003
【図２】
2012096806.tif 000004
【図３】
2012096806.tif 000005
【図４】
2012096806.tif 000006
【図５】
2012096806.tif 000007
【図６】
2012096806.tif 000008
【図７】
2012096806.tif 000009
【図８】
2012096806.tif 000010
【図９】
2012096806.tif 000011
【図１０】
2012096806.tif 000012
【図１１】
2012096806.tif 000013
【図１２】
2012096806.tif 000014
【図１３】
2012096806.tif 000015
【図１４】
2012096806.tif 000016